(57)【要約】【課題】この発明は、三方枠の入れ替え工事を回避して工事費用の高騰を抑え、工事期間の短縮を可能とするとともに、既設の三方枠からの新規の三方枠の突出量を抑えて、意匠性の低下を防止できるエレベータ用防煙スクリーン装置を得る。【解決手段】スクリーン巻き取り手段４０は、回転軸４１ａ，４２ａの軸心を出入り口の間口方向に一致させて、かつ互いに上下方向に所定距離離間して、スクリーン収納枠３０内に回転自在に配設された第１および第２巻き取りドラム４１，４２と、第１および第２巻き取りドラム４１，４２に無端状に連結されて循環走行する巻き胴部材４３と、を備えている。スクリーン３９が、その後端を巻き胴部材４３に固着されて巻き取られている。止め枠５２および錘５３がスリット３７から垂下するスクリーン３９の先端に装着されている。【選択図】図２
2009286549.tif 000002
【特許請求の範囲】
【請求項１】
スクリーン巻き取り手段がエレベータの出入り口に設置された三方枠の上枠の乗り場側に併設されたスクリーン収納枠内に収納され、該スクリーン巻き取り手段に巻き取られたスクリーンが該スクリーン収納枠の下面に該出入り口の間口方向に沿って形成されたスリットから繰り出されて該出入り口を閉鎖するように構成されたエレベータ用防煙スクリーン装置において、
上記スクリーン巻き取り手段は、回転軸の軸心を上記出入り口の間口方向に一致させて、かつ互いに上下方向に所定距離離間して、上記スクリーン収納枠内に回転自在に配設された第１および第２巻き取りドラムと、上記第１および第２巻き取りドラムに無端状に連結されて循環走行する巻き胴部材と、を備え、
上記スクリーンが、その後端を上記巻き胴部材に固着されて巻き取られていることを特徴とするエレベータ用防煙スクリーン装置。
【請求項２】
上記第１および第２巻き取りドラムの回転を制動するブレーキ装置と、上記スリットから繰り出される上記スクリーンの先端に装着された止め枠と、上記止め枠に装着された錘と、を備え、
上記スクリーンが、上記ブレーキ装置を解放すると、上記止め枠および上記錘を含めたスクリーンの自重により降下するように構成されていることを特徴とする請求項１記載のエレベータ用防煙スクリーン装置。
【請求項３】
上記スクリーン巻き取り手段は、モータと、該モータの回転を減速して上記第１および第２巻き取りドラムの一方の回転軸に伝達する減速歯車機構と、をさらに備えていることを特徴とする請求項２記載のエレベータ用防煙スクリーン装置。
【請求項４】
スクリーン巻き取り手段は、上記第１および第２巻き取りドラムの一方を上記スクリーンを巻き取る方向に回転させる方向に付勢する付勢手段をさらに備えていることを特徴とする請求項２記載のエレベータ用防煙スクリーン装置。
【請求項５】
上記三方枠の一対の縦枠のそれぞれの乗り場側に併設された一対のガイド枠を備え、
上記スクリーンの上記出入り口の間口方向の両側部を案内するガイド溝が上記一対のガイド枠の相対する側面に上下方向に延設されていることを特徴とする請求項１乃至請求項４のいずれか１項に記載のエレベータ用防煙スクリーン装置。
【請求項６】
上記ガイド枠は、開口が一つの側面に長さ方向に延設された枠体と、上記開口の一方の縁部との間に所定の隙間を残して該開口を塞口するように上記枠体に締着固定され、上記開口の一方の縁部との間に上記ガイド溝を構成する隠し枠と、を備え、上記枠体は、その内部から上記縦枠に締着固定されていることを特徴とする請求項５記載のエレベータ用防煙スクリーン装置。
【請求項７】
上記スクリーン収納枠は、上記上枠に乗り場側から締着固定された本体枠と、上記本体枠の乗り場側に着脱可能に取り付けられた幕板と、を備えていることを特徴とする請求項１乃至請求項６のいずれか１項に記載のエレベータ用防煙スクリーン装置。
【請求項８】
上記巻き胴部材に巻き取られた上記スクリーンの上記第１および第２巻き取りドラムの間に位置する部位を上記幕板から離反させるスクリーン隔て板を備えていることを特徴とする請求項７記載のエレベータ用防煙スクリーン装置。
【請求項９】
スクリーン巻き取り手段がエレベータの出入り口に設置された三方枠の上枠内に収納され、該スクリーン巻き取り手段に巻き取られたスクリーンが該上枠の下面に該出入り口の間口方向に沿って形成されたスリットから繰り出されて該出入り口を閉鎖するように構成されたエレベータ用防煙スクリーン装置において、
上記スクリーン巻き取り手段は、回転軸の軸心を上記出入り口の間口方向に一致させて、かつ互いに上下方向に所定距離離間して、上記上枠内に回転自在に配設された第１および第２巻き取りドラムと、上記第１および第２巻き取りドラムに無端状に連結されて循環走行する巻き胴部材と、を備え、
上記スクリーンが、その後端を上記巻き胴部材に固着されて巻き取られていることを特徴とするエレベータ用防煙スクリーン装置。
【発明の詳細な説明】
【技術分野】
【０００１】
この発明は、エレベータの出入り口に装備するエレベータ用防煙スクリーン装置に関するものである。
【背景技術】
【０００２】
エレベータの出入り口に設置する従来のエレベータ用防煙スクリーン装置としては、出入り口に設置される三方枠の上枠がその内部に巻き取りドラムを収納するように形成され、この巻き取りドラムに巻き取られたスクリーンを出入り口に垂下させるためのスリットが上枠の下面に設けられ、スクリーンの下端に設けられた座板の端部を上下方向にガイドするガイド溝が三方枠の左右両側の側枠のそれぞれに形成されており、巻き取りドラムに巻き取られたスクリーンが、巻き取りドラムの回転を制動するブレーキ装置を解放すると、座板およびスクリーンの自重により下降して出入り口を閉鎖するように構成されている（例えば、特許文献１参照）。
【０００３】
【特許文献１】特開２００４−２４４１３１号公報
【発明の開示】
【発明が解決しようとする課題】
【０００４】
従来のエレベータ用防煙スクリーン装置では、スクリーンを出入り口に垂下させるためのスリットが三方枠の上枠に設けられ、スクリーンの下端に取り付けられた座板を案内するガイド溝が側枠のそれぞれに形成されているので、既設のエレベータに防煙機能を追加しようとすると、既設の三方枠では対応できず、防煙スクリーン装置を付設できる新規の三方枠に入れ替える必要があった。そこで、防煙スクリーン装置の付設費用に加え、三方枠の入れ替え工事費用がかかり、工事費用が高騰するとともに、工事期間が長くなり、長期間エレベータを運行できなくなるという問題があった。
【０００５】
この三方枠の入れ替え工事を回避するために、防煙スクリーンを付設できる新規の三方枠を既設の三方枠の乗り場側に併設することも考えられる。しかし、スクリーンで出入り口を高さ方向の全域にわたって閉鎖する必要があることから、スクリーンの長さが長くなる。そして、従来のエレベータ用防煙スクリーン装置では、スクリーンが単一の巻き取りドラムに巻き取られているので、巻き取りドラムのドラム径が必然的に大きくなり、上枠には、大径の巻き取りドラムを収納できる厚みが必要となる。そこで、新規の三方枠を既設の三方枠の乗り場側に併設した場合には、既設の三方枠からの新規の三方枠の突出量が大きくなり、意匠性が著しく低下してしまうという新たな問題が生じる。
【０００６】
さらに、従来のエレベータ用防煙スクリーン装置を新規の三方枠に組み込んだ場合には、大径の巻き取りドラムを収納する必要上、上枠の厚みが厚くなるので、意匠性が低下するという問題が生じる。
【０００７】
この発明は、このような課題を解決するためになされたものであって、薄型化を実現し、新規の三方枠に防煙機能を付加する場合には、意匠性の低下を抑えることができ、既設の三方枠に防煙機能を付加する場合には、三方枠の入れ替え工事を回避して工事費用の高騰を抑え、工事期間の短縮を可能とするとともに、既設の三方枠からの新規の三方枠の突出量を抑えて、意匠性の低下を防止できるエレベータ用防煙スクリーン装置を得ることを目的とする。
【課題を解決するための手段】
【０００８】
この発明によるエレベータ用防煙スクリーン装置は、スクリーン巻き取り手段がエレベータの出入り口に設置された三方枠の上枠の乗り場側に併設されたスクリーン収納枠内に収納され、該スクリーン巻き取り手段に巻き取られたスクリーンが該スクリーン収納枠の下面に該出入り口の間口方向に沿って形成されたスリットから繰り出されて該出入り口を閉鎖するように構成されている。上記スクリーン巻き取り手段は、回転軸の軸心を上記出入り口の間口方向に一致させて、かつ互いに上下方向に所定距離離間して、上記スクリーン収納枠内に回転自在に配設された第１および第２巻き取りドラムと、上記第１および第２巻き取りドラムに無端状に連結されて循環走行する巻き胴部材と、を備え、上記スクリーンが、その後端を上記巻き胴部材に固着されて巻き取られている。
【発明の効果】
【０００９】
この発明によれば、巻き胴部材が上下方向に離間して配置された第１および第２巻き取りドラムに無端状に連結されて循環走行するように構成されているので、巻き胴部材の周長が著しく長くなる。そこで、第１および第２巻き取りドラムの径は、単一の巻き取りドラムでスクリーンを巻き取る場合に比べて小さくなり、スクリーン収納枠の厚みを薄くできる。これにより、防煙スクリーン装置を既設の三方枠に併設しても、既設の三方枠からの突出量が抑えられ、意匠性を低下させることがない。さらに、既設の三方枠を撤去する必要がなく、工事費用の高騰を抑え、工事期間の短縮が図られる。
【発明を実施するための最良の形態】
【００１０】
実施の形態１．
図１はこの発明の実施の形態１に係る防煙スクリーン装置を付設したエレベータの出入り口周りを示す斜視図、図１はこの発明の実施の形態１に係る防煙スクリーン装置をエレベータの出入り口に取り付ける方法を説明する斜視図、図３はこの発明の実施の形態１に係る防煙スクリーン装置を付設したエレベータの出入り口の上部側を示す横断面図、図４はこの発明の実施の形態１に係る防煙スクリーン装置を付設したエレベータの出入り口の中央側を示す横断面図、図５はこの発明の実施の形態１に係る防煙スクリーン装置を付設したエレベータの出入り口を示す縦断面図、図６はこの発明の実施の形態１に係る防煙スクリーン装置を付設したエレベータの出入り口のスクリーン収納枠周りを示す縦断面図、図７はこの発明の実施の形態１に係る防煙スクリーン装置の構成を説明する斜視図、図８はこの発明の実施の形態１に係る防煙スクリーン装置のガイド枠の取り付け状態を説明する横断面図、図９はこの発明の実施の形態１に係る防煙スクリーン装置の巻き取りドラムの取り付け状態を説明する横断面図、図１０はこの発明の実施の形態１に係る防煙スクリーン装置のスクリーン巻き取り手段の構成を説明する一部破断斜視図、図１１はこの発明の実施の形態１に係る防煙スクリーン装置のスクリーン巻き取り手段の構成の要部を示す断面図である。なお、横断面図とは水平面における断面図であり、縦断面図とは鉛直面における断面図である。
【００１１】
図１乃至図５において、開口部４が、かご（図示せず）が昇降する昇降路１と乗り場ホール２とを連通するように、建物躯体であるコンクリート製の壁３に形成され、エレベータの出入り口を構成している。そして、三方枠５が開口部４に設置されている。三方枠５は、開口部４の間口方向に離間して、互いに平行に、かつ上下方向に、床面２ａから天井２ｂに至るように延設された一対の縦枠６と、一対の縦枠６の上部側を連結するように間口方向に延設された上枠７と、を備える。また、乗り場扉８が、その上縁に取り付けられたハンガー９をトラック１０に吊り下げて、三方枠５の昇降路１側に開口部４を開閉可能に設置されている。そして、例えば、三方枠５の右側の縦枠６の近傍の壁面には、乗り場インジケータ１２、ホールランタン１３、乗り場ボタン１４が設けられている。
【００１２】
防煙スクリーン装置２０は、一対の縦枠６のそれぞれの乗り場側に併設された一対のガイド枠２１と、一対のガイド枠２１の上部側を連結するように上枠７の乗り場側に併設されたスクリーン収納枠３０と、スクリーン収納枠３０内に収納され、例えば耐火クロス製のスクリーン３９が巻き付けられたスクリーン巻き取り手段４０と、スクリーン巻き取り手段４０の回転を制動するブレーキ装置５５と、スクリーン３９の先端に取り付けられた止め枠５２と、止め枠５２に取り付けられた錘５３と、を備えている。
【００１３】
以下、防煙スクリーン装置２０の各構成を具体的に説明する。
まず、ガイド枠２１は、図８に示されるように、開口２３が断面矩形の一辺で構成される側壁に、その一端から長さ方向の所定の領域にわたって形成された枠体２２と、開口２３を構成する一側縁部２２ａに取付ねじ２６により締着固定され、開口２３を構成する他側縁部２２ｂとの間に所定の隙間を形成するように開口２３を塞口する隠し枠２４と、を備える。
【００１４】
そして、枠体２２が、開口２３からボルト締めラチェットスパナ２７を差し入れて、三方枠５の縦枠６の乗り場側の壁面にその長さ方向に所定の間隔で形成されたねじ穴２８に、枠体２２の内部から取付ボルト２９を締着し、縦枠６のそれぞれに取り付けられる。このとき、枠体２２は、開口２３が相対するように縦枠６のそれぞれに取り付けられる。ついで、隠し枠２４が、取付ねじ２６により、一側縁部２２ａに締着され、縦枠６に取り付けられる。これにより、隠し枠２４と他側縁部２２ｂとの間の隙間により構成されたガイド溝２５が、上下方向に延在している。また、隠し枠２４の枠体２２から昇降路１側への延出部が縦枠６の内壁面に密接し、枠体２２と縦枠６との間の隙間を覆い、意匠性の低下を抑えている。
【００１５】
スクリーン収納枠３０は、図６に示されるように、矩形平板状の背板３２、背板３２の上端から直角に曲げ成形された上板３３、背板３２の下端から上板３３と同じ方向に直角に曲げ成形された折り返し辺３４、および上板３３と相対するように折り返し辺３４に取り付けられた下板３５からなり、前面および両側面を開口とする本体枠３１と、上板３３の先端部に取付ねじ３８により締着固定され、本体枠３１の前面を塞口する幕板３６と、を備えている。そして、下板３５の前面側には、スクリーン３９を垂下させるスリット３７が、開口部４の間口方向に沿って形成されている。
【００１６】
本体枠３１は、背板３２の外面を三方枠の上枠７の前面に密接させて、かつ両側部を枠体２２内に挿入させて配置され、前面側から取付ボルト（図示せず）を上枠７の前面に形成されたねじ穴２８に締着して取り付けられる。そして、幕板３６が、その両側部を枠体２２内に挿入させて、取付ねじ３８を上板３３の先端部に締着して取り付けられる。また、下板３５の折り返し辺３４から昇降路１側への延出部が上枠７の下面に密接し、本体枠３１と上枠７との間の隙間を覆い、意匠性の低下を抑えている。
【００１７】
スクリーン巻き取り手段４０は、図６、図９、図１０および図１１に示されるように、スクリーン収納枠３０内の上部側に回転軸４１ａの軸心を水平、かつ開口部４の間口方向に一致させて配設され、回転軸４１ａの両端を背板３２の両枠体２２内に挿入された部位に取り付けられた取付金具５０に軸支された第１巻き取りドラム４１と、スクリーン収納枠３０内の下部側に回転軸４２ａの軸心を水平、かつ開口部４の間口方向に一致させて配設され、回転軸４２ａの両端を背板３２の両枠体２２内に挿入された部位に取り付けられた取付金具５１に軸支された第２巻き取りドラム４２と、第１および第２巻き取りドラム４１，４２に無端状に連結されて循環走行可能に取り付けられた巻き胴部材４３と、取付金具５０に固定されたモータ４４と、回転軸４１ａの軸端に固着されたスクリーン歯車４６、モータ４４の駆動軸４４ａの軸端に固着されたモータ歯車４７，およびモータ歯車４７の回転トルクをスクリーン歯車４６に伝達するアイドラー歯車４８からなる減速歯車機構４５と、を備えている。
【００１８】
スクリーン３９は、図７に示されるように、その後端を巻き胴部材４３の周面に縫い付けて固着されている。さらに、止め枠５２がスクリーン３９の先端部の幅方向全域にわたって固着され、錘５３が止め枠５２に取り付けられている。そして、スクリーン３９は巻き胴部材４３に巻き付けられ、その先端側が下板３５に形成されたスリット３７から垂下している。スリット３７から垂下するスクリーン３９の両側部および止め枠５２の両側部が、図４および図８に示されるように、ガイド溝２５内に挿入される。
【００１９】
ブレーキ装置５５は、図１０および図１１に示されるように、モータ４４に取り付けられ、モータ４４の駆動軸４４ａの回転を制動又は制動解除するためのものであり、公知の電磁ブレーキなどが用いられる。このブレーキ装置５５は、エレベータが設置されている建物に設置されている火災センサ（図示せず）に接続され、火災センサによる火災検知信号を入力して、駆動軸４４ａの回転の制動を解除するように構成されている。なお、ブレーキ装置５５には、手動操作部が設けられており、この手動操作部を手動操作することにより、駆動軸４４ａの回転を制動又は制動解除できるようになっている。
【００２０】
このように構成された防煙スクリーン装置２０では、手動操作部を手動操作してブレーキ装置５５による駆動軸４４ａの回転の制動を解除し、モータ４４を駆動する。このモータ４４の回転トルクが、駆動軸４４ａから減速歯車機構４５を介して回転軸４１ａに伝達され、第１巻き取りドラム４１が回転駆動される。この第１巻き取りドラム４１の回転により、第１および第２巻き取りドラム４１，４２に無端状に連結された巻き胴部材４３が循環走行し、スクリーン３９が巻き取られる。そして、止め枠５２および錘５３がスクリーン収納枠３０の下板３５に設けられたスリット３７の位置までくると、ブレーキ装置５５により駆動軸４４ａの回転を制動させて、モータ４４の駆動を停止する。これにより、スクリーン３９は、図６に示されるように、第１および第２巻き取りドラム４１，４２に無端状に連結された巻き胴部材４３に巻き付けられてスクリーン収納枠３０内に収納され、非作動状態となる。
【００２１】
そして、火災センサが火災を検知すると、ブレーキ装置５５により駆動軸４４ａの回転の制動が解除される。そこで、止め枠５２および錘５３の重さが、スクリーン３９を介して巻き胴部材４３に作用し、第１および第２巻き取りドラム４１，４２がスクリーン３９を繰り出す方向に回転し始める。そして、スクリーン３９は、スリット３７から繰り出され、止め枠５２の両側部がガイド枠２１のガイド溝２５に案内されて垂下し、開口部４を閉鎖する。つまり、スクリーン３９は作動状態となる。これにより、乗り場ホール２から昇降路１内への煙の流入が抑えられるとともに、昇降路１を通って他の階の乗り場ホール２への煙の拡散が抑えられる。
【００２２】
この実施の形態１では、スクリーン巻き取り手段４０が、回転軸４１ａ，４２ａの軸心を開口部４の間口方向に一致させ、かつ上下方向に互いに離間して配置された第１および第２巻き取りドラム４１，４２と、第１および第２巻き取りドラム４１，４２に無端状に連結されて循環走行可能な巻き胴部材４３と、を備えている。そこで、スクリーン巻き取り手段４０では、単一の巻き取りドラムでスクリーンを巻き取る場合に比べ、巻き取りドラム（第１および第２巻き取りドラム４１，４２）の径を小径にでき、スクリーン収納枠３０の厚みを薄くできる。これにより、防煙スクリーン装置２０を三方枠５の乗り場側に併設しても、三方枠５からの突出量が少なくなり、防煙スクリーン装置２０の設置にともなう意匠性の低下が抑えられる。
【００２３】
したがって、既設のエレベータに防煙機構を追加する場合には、防煙スクリーン装置２０を既設の三方枠の乗り場側に併設することが可能となり、工事費用の低減、工事期間およびエレベータの運行休止時間の短縮を図ることができる。
【００２４】
また、ブレーキ装置５５が、モータ４４の駆動軸４４ａの回転を制動又は制動解除できるように設けられ、止め枠５２がスリット３７から繰り出されるスクリーン３９の先端に装着され、錘５３が止め枠５２に装着されており、ブレーキ装置５５が、モータ４４の駆動軸４４ａの回転の制動を解除すると、スクリーン３９が止め枠５２および錘５３を含めたスクリーン３９の自重により降下するように構成されている。そこで、火災の発生時に、ブレーキ装置５５によるモータ４４の駆動軸４４ａの回転の制動が解除されるようにしておけば、特別な高価な機構を必要とせず、火災発生時に開口部４をスクリーン３９で速やかに閉鎖することができる。
【００２５】
また、一対のガイド枠２１が三方枠５の縦枠６のそれぞれの乗り場側に併設され、止め枠５２の両側部を案内するガイド溝２５が一対のガイド枠２１の相対する壁面に上下方向に延設されている。そこで、止め枠５２の両側部は、スリット３７からのスクリーン３９の繰り出し動作とともに、ガイド溝２５に案内されて下降するので、スクリーン３９による開口部４の閉鎖が確実に、かつ安定して行われる。
【００２６】
また、ガイド枠２１が、開口２３が一辺に上下方向に延設された枠体２２と、開口２３の他側縁部２２ｂとの間にガイド溝２５を構成する隙間を残して開口２３を閉塞するように枠体２２に締着固定される隠し枠２４と、から構成されている。そこで、三方枠５が既設の三方枠であっても、後加工でねじ穴２８を三方枠５の縦枠６の乗り場側の壁面に形成し、ボルト締めラチェットスパナ２７を開口２３から差し入れて、枠体２２の内部から取付ボルト２９をねじ穴２８に締着するだけで、特別な工事を必要とせず、枠体２２を縦枠６に簡易に取り付けることができる。
【００２７】
また、スクリーン収納枠３０が、前面および両側面を開口とする本体枠３１と、本体枠３１の前面側を塞口するように本体枠３１に締着固定される幕板３６と、から構成されている。そこで、三方枠５が既設の三方枠であっても、後加工でねじ穴２８を三方枠５の上枠７の乗り場側の壁面に形成し、本体枠３１の内部から取付ボルトをねじ穴２８に締着するだけで、特別な工事を必要とせず、本体枠３１を上枠７に簡易に取り付けることができる。また、幕板３６が本体枠３１に取付ねじ３８により締着されているので、幕板３６を取り外して防煙スクリーン装置２０を保守点検でき、保守点検作業が容易となる。
【００２８】
また、スクリーン巻き取り手段４０が、モータ４４と、モータ４４の回転トルクを減速して第１巻き取りドラム４１の回転軸４１ａに伝達する減速歯車機構４５と、を備えているので、スクリーン３９を簡易に巻き胴部材４３に巻き取ることができ、作業者のスクリーン巻き取り作業負荷が軽減される。
【００２９】
なお、上記実施の形態１では、ブレーキ装置５５がモータ４４の駆動軸４４ａの回転を制動又は制動解除するものとして説明しているが、ブレーキ装置は第１および第２巻き取りドラム４１，４２のいずれか一方の回転軸４１ａ，４２ａの回転を制動又は制動解除するものでもよい。
また、上記実施の形態１では、モータ４４により第１巻き取りドラム４１の回転軸４１ａを回転駆動するものとして説明しているが、モータ４４により第２巻き取りドラム４２の回転軸４２ａを回転駆動するようにしてもよい。
【００３０】
実施の形態２．
図１２および図１３はそれぞれこの発明の実施の形態２に係る防煙スクリーン装置のスクリーン巻き取り手段の構成を説明する要部斜視図および要部側面図である。
【００３１】
図１２および図１３において、付勢手段としての巻き取り用ゼンマイ５６が、一端をゼンマイ止めねじ５７により第１巻き取りドラム４１の回転軸４１ａの軸端に締着固定され、回転軸４１ａに巻かれて、その他端を止めねじ５８により取付金具５０に締着固定されて、第１巻き取りドラム４１をスクリーン３９を巻き取る方向に回転させる方向に付勢している。そして、図示していないが、ブレーキ装置が第２巻き取りドラムの回転軸の回転を制動又は制動解除するように取り付けられている。
なお、この実施の形態２では、モータ４４および減速歯車機構４５に代えて巻き取り用ゼンマイ５６を用いている点を除いて、上記実施の形態１と同様に構成されている。
【００３２】
この実施の形態２においても、火災センサが火災を検知すると、ブレーキ装置により第２巻き取りドラムの回転軸の回転の制動が解除され、止め枠および錘の重さが巻き取り用ゼンマイ５６の付勢力に勝り、巻き胴部材４３が循環走行し、スクリーン３９が繰り出される。これにより、上記実施の形態１と同様に、スクリーン３９がスリットから垂下し、開口部を閉塞する。このとき、スクリーン３９の繰り出しにともない、反力（スクリーン３９を巻き取る方向の力）が巻き取り用ゼンマイ５６に蓄勢される。そこで、スクリーン３９は、この巻き取り用ゼンマイ５６に蓄勢された反力により緊張状態で開口部を閉塞するので、防煙効果が高められる。
【００３３】
また、ブレーキ装置により第２巻き取りドラムの回転軸の回転の制動を解除した状態で、錘を持ち上げることで、スクリーン３９が巻き取り用ゼンマイ５６に蓄勢された反力を放勢しつつ巻き胴部材４３に簡易に巻き取られる。そして、止め枠がスリットの位置までくると、ブレーキ装置により第２巻き取りドラムの回転軸の回転を制動し、防煙スクリーン装置が非作動状態に保持される。
【００３４】
この実施の形態２では、モータ４４などが不要となり、スクリーン巻き取り手段の構成が簡素化され、軽量化、低価格化、高信頼性が実現される。
【００３５】
実施の形態３．
図１４および図１５はそれぞれこの発明の実施の形態３に係る防煙スクリーン装置のスクリーン巻き取り手段の構成を説明する要部斜視図および要部側面図である。
【００３６】
図１４および図１５において、巻き胴部６０が第１巻き取りドラム４１の回転軸４１ａの軸端に固定され、ワイヤ６１がその一端を巻き胴部６０に形成されたワイヤ止め部６２に止められて配設され、巻き取り用ばね６３がその一端をワイヤ６１の他端に接続部６４で接続され、その他端を下板３５の前面側端部に取り付けられたばね掛け部６５に掛けられ、緊張状態に配設されている。そして、巻き胴部６０、ワイヤ６１、および巻き取り用ばね６３が第１巻き取りドラム４１をスクリーン３９を巻き取る方向に回転させる方向に付勢する付勢手段を構成している。さらに、図示していないが、ブレーキ装置が第２巻き取りドラムの回転軸の回転を制動又は制動解除するように取り付けられている。
なお、この実施の形態３では、モータ４４および減速歯車機構４５に代えて巻き胴部６０、ワイヤ６１、および巻き取り用ばね６３を用いている点を除いて、上記実施の形態１と同様に構成されている。
【００３７】
この実施の形態３においても、火災センサが火災を検知すると、ブレーキ装置により第２巻き取りドラムの回転軸の回転の制動が解除され、止め枠および錘の重さが巻き取り用ばね６３の付勢力に勝り、巻き胴部材４３が循環走行し、スクリーン３９が繰り出される。これにより、上記実施の形態１と同様に、スクリーン３９がスリットから垂下し、開口部を閉塞する。このとき、スクリーン３９の繰り出しにともない、ワイヤ６１が巻き胴部６０に巻き取られ、巻き取り用ばね６３が反力（スクリーン３９を巻き取る方向の力）を蓄勢しつつ伸長する。そこで、スクリーン３９は、この巻き取り用ばね６３に蓄勢された反力により緊張状態で開口部を閉塞するので、防煙効果が高められる。
【００３８】
また、ブレーキ装置により第２巻き取りドラムの回転軸の回転の制動を解除した状態で、錘を持ち上げることで、スクリーン３９が巻き取り用ばね６３に蓄勢された反力により巻き胴部材４３に簡易に巻き取られる。つまり、巻き取り用ばね６３に蓄勢されている反力はワイヤ６１を繰り出す方向に巻き胴部６０を回転させるように作用するので、巻き胴部６０は巻き取られているワイヤ６１を繰り出しながら回転し、巻き取り用ばね６３は反力を放勢しつつ収縮する。このワイヤ６１を繰り出す方向の巻き胴部６０の回転力が回転軸４１ａを介して第１巻き取りドラム４１に伝達され、第１巻き取りドラム４１が回転され、スクリーン３９が巻き胴部材４３に巻き取られる。そして、止め枠がスリットの位置までくると、ブレーキ装置により第２巻き取りドラムの回転軸の回転を制動し、防煙スクリーン装置が非作動状態に保持される。
【００３９】
この実施の形態３では、モータ４４などが不要となり、スクリーン巻き取り手段の構成が簡素化され、軽量化、低価格化、高信頼性が実現される。
【００４０】
実施の形態４．
図１６はこの発明の実施の形態４に係る防煙スクリーン装置を付設したエレベータの出入り口周りを示す斜視図、図１７はこの発明の実施の形態４に係る防煙スクリーン装置を付設したエレベータの出入り口を示す縦断面図、図１８はこの発明の実施の形態４に係る防煙スクリーン装置を付設したエレベータの出入り口のスクリーン収納枠周りを示す縦断面図である。
【００４１】
図１６乃至図１８において、乗り場インジケータ１２Ａが、高さ方向の第１および第２巻き取りドラム４１，４２の中間位置に位置するように幕板３６に取り付けられている。スクリーン隔て板６６が、乗り場インジケータ１２Ａの背面から巻き胴部材４３に巻き取られているスクリーン３９の部位を離反させるように幕板３６に取り付けられている。
なお、他の構成は、上記実施の形態１と同様に構成されている。
【００４２】
この実施の形態４では、巻き胴部材４３に巻き取られているスクリーン３９は、スクリーン隔て板６６に案内されて昇降路側に迂回し、乗り場インジケータ１２Ａとの衝突が回避されている。
したがって、この実施の形態４によれば、スクリーン収納枠３０の厚みを厚くすることなく、乗り場インジケータ１２Ａをスクリーン収納枠３０に取り付けることができるようになり、乗り場の設計自由度が増大する。
【００４３】
実施の形態５．
上記実施の形態１では、三方枠５は、昇降路１から乗り場ホール２に向かって一定の幅の出入り口を構成するように作製されているが、この実施の形態５では、図１９および図２０に示されるように、三方枠５Ａは、昇降路１から乗り場ホール２に向かって末広がりの出入り口を構成するように作製されている。そして、防煙スクリーン装置２０は、上記実施の形態１と同様に、ガイド枠２１が縦枠６Ａのそれぞれの乗り場側に併設され、スクリーン収納枠３０が上枠７Ａの乗り場側に併設されている。
そこで、この実施の形態５においても、上記実施の形態１と同様の効果が得られる。
【００４４】
なお、上記各実施の形態では、既設の三方枠５に防煙スクリーン装置２０を付設するものとして説明しているが、エレベータを新設する場合に、防煙スクリーン装置２０を新規な三方枠として開口部４に配設するようにしてもよい。この場合、ガイド枠２１およびスクリーン収納枠３０を縦枠および上枠として開口部４に配設し、スクリーン巻き取り手段４０をスクリーン収納枠３０内に配設することになる。これにより、薄型の三方枠が実現でき、意匠性が向上する。
【図面の簡単な説明】
【００４５】
【図１】この発明の実施の形態１に係る防煙スクリーン装置を付設したエレベータの出入り口周りを示す斜視図である。
【図２】この発明の実施の形態１に係る防煙スクリーン装置をエレベータの出入り口に取り付ける方法を説明する斜視図である。
【図３】この発明の実施の形態１に係る防煙スクリーン装置を付設したエレベータの出入り口の上部側を示す横断面図である。
【図４】この発明の実施の形態１に係る防煙スクリーン装置を付設したエレベータの出入り口の中央側を示す横断面図である。
【図５】この発明の実施の形態１に係る防煙スクリーン装置を付設したエレベータの出入り口を示す縦断面図である。
【図６】この発明の実施の形態１に係る防煙スクリーン装置を付設したエレベータの出入り口のスクリーン収納枠周りを示す縦断面図である。
【図７】この発明の実施の形態１に係る防煙スクリーン装置の構成を説明する斜視図である。
【図８】この発明の実施の形態１に係る防煙スクリーン装置のガイド枠の取り付け状態を説明する横断面図である。
【図９】この発明の実施の形態１に係る防煙スクリーン装置の巻き取りドラムの取り付け状態を説明する横断面図である。
【図１０】この発明の実施の形態１に係る防煙スクリーン装置のスクリーン巻き取り手段の構成を説明する一部破断斜視図である。
【図１１】この発明の実施の形態１に係る防煙スクリーン装置のスクリーン巻き取り手段の構成の要部を示す断面図である。
【図１２】この発明の実施の形態２に係る防煙スクリーン装置のスクリーン巻き取り手段の構成を説明する要部斜視図である。
【図１３】この発明の実施の形態２に係る防煙スクリーン装置のスクリーン巻き取り手段の構成を説明する要部側面図である。
【図１４】この発明の実施の形態３に係る防煙スクリーン装置のスクリーン巻き取り手段の構成を説明する要部斜視図である。
【図１５】この発明の実施の形態３に係る防煙スクリーン装置のスクリーン巻き取り手段の構成を説明する要部側面図である。
【図１６】この発明の実施の形態４に係る防煙スクリーン装置を付設したエレベータの出入り口周りを示す斜視図である。
【図１７】この発明の実施の形態４に係る防煙スクリーン装置を付設したエレベータの出入り口を示す縦断面図である。
【図１８】はこの発明の実施の形態４に係る防煙スクリーン装置を付設したエレベータの出入り口のスクリーン収納枠周りを示す縦断面図である。
【図１９】この発明の実施の形態５に係る防煙スクリーン装置を付設したエレベータの出入り口の上部側を示す横断面図である。
【図２０】この発明の実施の形態５に係る防煙スクリーン装置を付設したエレベータの出入り口の中央側を示す横断面図である。
【符号の説明】
【００４６】
４  開口部（出入り口）、５，５Ａ  三方枠、６，６Ａ  縦枠、７，７Ａ  上枠、２１  ガイド枠、２２  枠体、２３  開口、２４  隠し枠、２５  ガイド溝、３０  スクリーン収納枠、３１  本体枠、３６  幕板、３７  スリット、３９  スクリーン、４０  スクリーン巻き取り手段、４１  第１巻き取りドラム、４１ａ  回転軸、４２  第２巻き取りドラム、４２ａ  回転軸、４３  巻き胴部材、４４  モータ、４５  減速歯車機構、５２  止め枠、５３  錘、５５  ブレーキ装置、５６  巻き取り用ゼンマイ（付勢手段）、６０  巻き胴（付勢手段）、６１  ワイヤ（付勢手段）、６３  巻き取り用ばね（付勢手段）、６６  スクリーン隔て板。
【図１】
2009286549.tif 000003
【図２】
2009286549.tif 000004
【図３】
2009286549.tif 000005
【図４】
2009286549.tif 000006
【図５】
2009286549.tif 000007
【図６】
2009286549.tif 000008
【図７】
2009286549.tif 000009
【図８】
2009286549.tif 000010
【図９】
2009286549.tif 000011
【図１０】
2009286549.tif 000012
【図１１】
2009286549.tif 000013
【図１２】
2009286549.tif 000014
【図１３】
2009286549.tif 000015
【図１４】
2009286549.tif 000016
【図１５】
2009286549.tif 000017
【図１６】
2009286549.tif 000018
【図１７】
2009286549.tif 000019
【図１８】
2009286549.tif 000020
【図１９】
2009286549.tif 000021
【図２０】
2009286549.tif 000022